Podtech/llm-jp-corpus-v4-ja_patent huggingface dataset:
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
一般式（Ｉ）の化合物又はそれらの製薬上許容できる塩。
【化１】
2017501191.tif 000001
（ここで、
Ｒ1は−ＣＦ3基又はハロゲン原子であり；
Ｒ2は(Ｃ1−Ｃ6)アルキル基であり、又は２個のＲ2が一緒になって(Ｃ3−Ｃ6)シクロアルキル基を形成し；
ＸはＣＨ又はＮであり；
Ｒ3は水素原子若しくは(Ｃ1−Ｃ6)アルキル基であり、又は２個のＲ3が一緒になって(Ｃ3−Ｃ6)シクロアルキル基を形成し；
Ｒ4は(Ｃ1−Ｃ6)アルキル基であり；
Ｒ5は−ＣＦ3基又はハロゲン原子である。）
【請求項２】
Ｒ2が(Ｃ1−Ｃ6)アルキル基である、請求項１に記載の化合物。
【請求項３】
Ｒ2がメチル基である、請求項２に記載の化合物。
【請求項４】
Ｒ3が(Ｃ1−Ｃ6)アルキル基である、請求項１〜３のいずれかに記載の化合物。
【請求項５】
Ｒ3がメチル基である、請求項４に記載の化合物。
【請求項６】
Ｒ4が(Ｃ1−Ｃ3)アルキル基である、請求項１〜５のいずれかに記載の化合物。
【請求項７】
Ｒ4がメチル基である、請求項６に記載の化合物。
【請求項８】
Ｒ4がエチル基である、請求項６に記載の化合物。
【請求項９】
Ｒ5が−ＣＦ3基である、請求項１〜８のいずれかに記載の化合物。
【請求項１０】
Ｒ1が−ＣＦ3基である、請求項１〜９のいずれかに記載の化合物。
【請求項１１】
以下のものである、請求項１〜１０のいずれかに記載の化合物：
（Ｚ）−４−（３−（４−（５，５−ジメチル−３−（４−（メチルスルホニル）−３−（トリフルオロメチル）フェニル）−２，４−ジオキソイミダゾリジン−１−イル）−２−ブテン−１−イル）−４，４−ジメチル−２，５−ジオキソイミダゾリジン−１−イル）−２−（トリフルオロメチル）ベンゾニトリル；
（Ｚ）−５−（３−（４−（５，５−ジメチル−３−（４−（メチルスルホニル）−３−（トリフルオロメチル）フェニル）−２，４−ジオキソイミダゾリジン−１−イル）−２−ブテン−１−イル）−４，４−ジメチル−２，５−ジオキソイミダゾリジン−１−イル）−３−（トリフルオロメチル）ピコリノニトリル；若しくは
（Ｚ）−４−（４，４−ジメチル−３−（４−（３−（４−（メチルスルホニル）−３−（トリフルオロメチル）フェニル）−２，４−ジオキソイミダゾリジン−１−イル）−２−ブテン−１−イル）−２，５−ジオキソイミダゾリジン−１−イル）−２−（トリフルオロメチル）ベンゾニトリル
又はこの化合物の製薬上許容できる塩。
【請求項１２】
以下のものである、請求項１１に記載の化合物：
（Ｚ）−４−（３−（４−（５，５−ジメチル−３−（４−（メチルスルホニル）−３−（トリフルオロメチル）フェニル）−２，４−ジオキソイミダゾリジン−１−イル）−２−ブテン−１−イル）−４，４−ジメチル−２，５−ジオキソイミダゾリジン−１−イル）−２−（トリフルオロメチル）ベンゾニトリル、又はそれらの製薬上許容できる塩。
【請求項１３】
医薬としての請求項１〜１２のいずれかに記載の化合物。
【請求項１４】
活性成分としての請求項１〜１２のいずれかに記載の式（Ｉ）の少なくとも１種の化合物を製薬上許容できる担体との組合せとして含有する製薬組成物。
【請求項１５】
請求項１〜１２のいずれかに記載の式（Ｉ）の化合物から成る、癌を処置するための医薬。
【請求項１６】
前記癌がホルモン依存性の癌である、請求項１５に記載の医薬。
【請求項１７】
前記癌がアンドロゲン受容体を発現する癌である、請求項１５に記載の医薬。
【請求項１８】
前記癌が乳癌又は前立腺癌である、請求項１５〜１７のいずれかに記載の医薬。
【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
少なくとも1種の炭化水素系油を含有する非水性媒体中で安定剤で表面安定化された少なくとも1種のポリマーの粒子の分散体であって、粒子のポリマーが、(メタ)アクリル酸C1〜C4アルキルポリマーであり、安定剤が、(メタ)アクリル酸イソボルニルホモポリマー、及び、(メタ)アクリル酸イソボルニル/(メタ)アクリル酸C1〜C4アルキルの質量比4超で存在する(メタ)アクリル酸イソボルニルと(メタ)アクリル酸C1〜C4アルキルとの統計コポリマーから選択される(メタ)アクリル酸イソボルニルポリマーである、分散体。
【請求項２】
粒子のポリマーが、アクリル酸メチル及び/又はアクリル酸エチルポリマーであることを特徴とする、請求項1に記載の分散体。
【請求項３】
粒子のポリマーが、好ましくは(メタ)アクリル酸、マレイン酸及び無水マレイン酸から選択される、エチレン性不飽和酸モノマー又はその無水物を含むことを特徴とする、請求項1又は2に記載の分散体。
【請求項４】
粒子のポリマーが、
アクリル酸メチルホモポリマー
アクリル酸エチルホモポリマー
アクリル酸メチル/アクリル酸エチルコポリマー
アクリル酸メチル/アクリル酸エチル/アクリル酸コポリマー
アクリル酸メチル/アクリル酸エチル/無水マレイン酸コポリマー
アクリル酸メチル/アクリル酸コポリマー
アクリル酸エチル/アクリル酸コポリマー
アクリル酸メチル/無水マレイン酸コポリマー
アクリル酸エチル/無水マレイン酸コポリマー
から選択されることを特徴とする、請求項1から3のいずれか一項に記載の分散体。
【請求項５】
安定剤が、(メタ)アクリル酸イソボルニル/(メタ)アクリル酸C1〜C4アルキルの質量比5以上で存在する(メタ)アクリル酸イソボルニルと(メタ)アクリル酸C1〜C4アルキルとの統計コポリマーであることを特徴とする、請求項1から4のいずれか一項に記載の分散体。
【請求項６】
安定剤が、
アクリル酸イソボルニルホモポリマー
アクリル酸イソボルニル/アクリル酸メチルの統計コポリマー
アクリル酸イソボルニル/アクリル酸メチル/アクリル酸エチルの統計コポリマー
メタクリル酸イソボルニル/アクリル酸メチルの統計コポリマー
から選択されることを特徴とする、請求項1から5のいずれか一項に記載の分散体。
【請求項７】
分散体中に存在する安定剤+粒子のポリマーの組合せが、安定剤+粒子のポリマーの組合せの総質量に対して、10質量%から50質量%の重合(メタ)アクリル酸イソボルニルと、50質量%から90質量%の重合(メタ)アクリル酸C1〜C4アルキルとを含むことを特徴とする、請求項1から6のいずれか一項に記載の分散体。
【請求項８】
炭化水素系油が、8から16個の炭素原子を含有する無極性炭化水素系油から選択されることを特徴とする、請求項1から7のいずれか一項に記載の分散体。
【請求項９】
クエン酸トリ-n-ブチル、トリプロピレングリコールモノメチルエーテル及びトリメチルペンタフェニルトリシロキサンから選択される可塑剤を含むことを特徴とする、請求項1から8のいずれか一項に記載の分散体。
【請求項１０】
生理学的に許容される媒体中に、請求項1から9のいずれか一項に記載のポリマー分散体を含む組成物。
【請求項１１】
特にケラチン物質をケア又はメイクアップするための、請求項10に記載の組成物をケラチン物質に塗布する工程を含む、ケラチン物質を処置するための非治療的美容方法。
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
配列番号：1で表される全長ヒトサバイビン(survivin)の最初の118〜133のN末端アミノ酸、または
該切断されたサバイビンに対して＞90%の相同性を有する配列
からなるC末端で切断されたサバイビンであって、該切断されたサバイビンが、遊離アミノ基を有する1つ以上の位置でグルコノイル化(gluconoylated)される、C末端で切断されたサバイビン。
【請求項２】
リジン残基の少なくとも1つがグルコノイル化される、請求項１記載の切断されたサバイビン。
【請求項３】
配列番号:2または配列番号:3からなる、請求項１または２記載の切断されたサバイビン。
【請求項４】
配列番号:3の1位のグリシン残基ならびに配列番号:3の22位および/または102位のリジン残基がグルコノイル化される、請求項３記載の切断されたサバイビン。
【請求項５】
請求項１〜４いずれか記載の切断されたサバイビン、およびそれぞれ切断されるがグルコノイル化されないサバイビンを含むサバイビン組成物であって、前記組成物中、切断されたサバイビン分子の10〜80%がグルコノイル化される、サバイビン組成物。
【請求項６】
請求項１〜４いずれか記載の切断されたサバイビン、または請求項５記載のサバイビン組成物、および
少なくとも1つのアジュバント
を含むリポソーム製剤であって、該少なくとも1つのアジュバントが、免疫調節剤として作用するキラルカチオン性リン脂質である、リポソーム製剤。
【請求項７】
該キラルカチオン性リン脂質が、1,2-ジオレオイル-3-トリメチルアンモニウムプロパン(DOTAP)、好ましくはR-DOTAPである、請求項６記載のリポソーム製剤。
【請求項８】
コレステロール、ならびに
ホスファチジルコリン(PC)、ホスホエタノールアミン(PE)およびホスホグリセロール(PG)からなる群より選択される少なくとも1つのリン脂質
をさらに含む、請求項６または７記載のリポソーム製剤。
【請求項９】
25〜55%(mol/mol)の含有量のコレステロールおよび／または30〜80%(mol/mol)の含有量のPCを含む、請求項６〜８いずれか記載のリポソーム製剤。
【請求項１０】
該製剤のリポソーム粒子が、0.5〜1.5mg/mLである抗原荷重に依存して≧17mVの粒子表面電荷、および／または
40nm〜500nmの粒子径を有する、請求項６〜９いずれか記載のリポソーム製剤。
【請求項１１】
(i) 請求項５記載のサバイビン組成物、
(ii) 脂質成分R-DOTAP、コレステロールおよび卵ホスファチジルコリン(EPC)、
(iii) 該製剤中3〜5mMの濃度のR-DOTAP、
(iv) 脂質粒子、ここで該粒子の少なくとも70%の粒子径が、50〜250nmである、ならびに
(v) 0.5mg/mLの抗原荷重
を含む、請求項６〜１０いずれか記載のリポソーム製剤。
【請求項１２】
(i) 該切断されたサバイビンが、配列番号：3で表され、かつグリコシル化されず、該切断されたサバイビンの40%(±5%)が、グルコノイル化され、
(ii) 脂質組成物の含有量が：
10〜30% R-DOTAP、
25〜55%コレステロール、および
30〜60% EPC(mol/mol)
である、請求項１１記載のリポソーム製剤。
【請求項１３】
請求項６〜１２いずれか記載のリポソーム製剤、およびさらに薬学的に許容され得る担体、賦形剤、添加剤または希釈剤を含む、免疫刺激性ワクチン。
【請求項１４】
予防接種によるヒト個体の予防または治療における使用のための免疫刺激性ワクチンであって、該個体が、癌もしくは癌関連疾患に苦しみ、該癌または癌関連疾患が、サバイビン特異的腫瘍細胞の存在に基づくものであり、予防接種により、該個体においてサバイビン特異的免疫応答が誘発され、CD4+および/またはCD8+ T細胞応答が誘発される、請求項１３記載の免疫刺激性ワクチン。
【請求項１５】
シクロホスファミド、カルボプラチン、パクリタキセルおよび抗体-サイトカイン融合タンパク質NHS-IL12からなる群より選択される抗腫瘍剤と共にある、請求項１３記載の免疫刺激性ワクチン。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
ワニス組成物の形態の口腔ケア剤を歯に付与するシステムであって、前記口腔ケア剤を含む第１の層と、前記第１の層によって歯の表面から間隔を置いて配置された第２の層とを含み、前記第１の層は第１の溶媒を含み、且つその付与中又は付与後に硬化可能であり、前記第２の層は前記第１の溶媒と異なる液状の担体を含む流体であり、
前記第１の層が、第１のポリマーマトリックス、前記第１の溶媒、及び前記口腔ケア剤を含み、前記第２の層が、第２のポリマーマトリックス、及び前記第１の溶媒と異なる第２の溶媒を含み、
前記第１の層が、前記第１の溶媒を揮発させることによって乾燥／硬化され、前記第２の層が、前記第２の溶媒を揮発させることによって乾燥／硬化される、システム。
【請求項２】
前記第１の溶媒が極性溶媒であり、前記第２の溶媒が非極性溶媒である、請求項１に記載のシステム。
【請求項３】
前記非極性溶媒は、ペンタン、ヘプタン、酢酸エチル及び酢酸ブチルから選択される、請求項２に記載のシステム。
【請求項４】
前記口腔ケア剤は、前記第１の溶媒に可溶であり、且つ前記第２の溶媒に不溶である、請求項１乃至３の何れか一項に記載のシステム。
【請求項５】
前記硬化した第１のポリマーマトリックスの水拡散係数と前記硬化した第２のポリマーマトリックスの水拡散係数との比が少なくとも２：１である、請求項１乃至４の何れか一項に記載のシステム。
【請求項６】
前記乾燥／硬化した第１のポリマーマトリックスは、１０−９〜１０−６ｃｍ２／ｓの範囲の水拡散係数を有する、請求項１乃至５の何れか一項に記載のシステム。
【請求項７】
前記乾燥／硬化した第２のポリマーマトリックスは、１０−８ｃｍ２／ｓ未満の水拡散係数を有する、請求項１乃至６の何れか一項に記載のシステム。
【請求項８】
前記第１のポリマーマトリックスは前記第２のポリマーマトリックスより親水性が高い、請求項１乃至７の何れか一項に記載のシステム。
【請求項９】
前記第１のポリマーマトリックスは、前記第２の溶媒に不溶であり、前記第２のポリマーマトリックスは、前記第１の溶媒に不溶である、請求項１乃至８の何れか一項に記載のシステム。
【請求項１０】
前記第１のポリマーマトリックスは、ポリ（アクリル酸アルキル）、ポリ（アクリル酸アリール）、ポリ（メタクリル酸アルキル）、ポリ（メタクリル酸アリール）、ポリ（ビニルアルコール）、ポリ（ビニルピロリドン）、ポリ（エチレングリコール）、ポリ（アクリル酸）誘導体、ポリ（アクリルアミド）誘導体、セルロース誘導体、並びにこれらの共重合体及び混合物からなる群から選択されるポリマーを含む、請求項１乃至９の何れか一項に記載のシステム。
【請求項１１】
前記第１のポリマーマトリックスは、メチルメタクリレートポリマー及びエチルメタクリレートポリマーを含み、メチルメタクリレートポリマーとエチルメタクリレートポリマーとの比が５：１〜２：１である、請求項１乃至１０の何れか一項に記載のシステム。
【請求項１２】
前記第２のポリマーマトリックスは、アクリレートポリマー、メタクリレートポリマー、ポリエステル、ポリエーテル、ポリオレフィン、ポリ酢酸ビニル、ポリアミド、ポリビニルピロリドン−過酸化水素複合体、フッ素化ポリマー、シリコーン樹脂、スチレン系ポリマー、炭化水素ポリマー、ポリスチレンとポリアルキレン及び／又はポリジエンとのブロックコポリマー、並びにこれらのコポリマー及び混合物からなる群から選択されるポリマーを含む、請求項１乃至１１の何れか一項に記載のシステム。
【請求項１３】
前記乾燥／硬化した第１の層は、２０〜１００μｍの厚さを有し、前記硬化した第２の層は、２０〜１００μｍの厚さを有する、請求項５乃至１２の何れか一項に記載のシステム。
【請求項１４】
前記第１の層は、さらに、ポリマーマトリックス及び第１の溶媒を含み、前記第２の層は、ワセリン、１−オレイル−ラク−グリセロール、油、ワックス及び油中に混合された疎水性ポリマーから選択される１種以上の材料を含む柔軟で未乾燥／未硬化の層である、請求項１に記載のシステム。
【請求項１５】
前記口腔ケア剤は、ホワイトニング剤、再石灰化剤、虫歯予防剤、抗歯垢形成剤、抗口臭剤、フッ化物剤、抗菌剤、バイオフィルム生成抑制剤若しくはバイオフィルム分散剤、ｐＨ調整剤、反応性酵素、反応性ラジカル、及びこれらの組み合わせからなる群から選択される、請求項１乃至１４の何れか一項に記載のシステム。
【請求項１６】
前記口腔ケア剤は、過酸化水素、過酸化カルバミド、過酸化カルシウム及び過炭酸ナトリウムからなる群から選択されるホワイトニング剤を含む、請求項１５に記載のシステム。
【請求項１７】
前記口腔ケア剤は、歯の表面に対する親和性を有し、且つヒドロキシアパタイト結晶化の核となり得る、ペプチドモノマー若しくは短鎖ポリペプチド、コラーゲン、アメロゲニン、アメロブラスチン、エナメリン、アメロチン若しくはグリカン等のタンパク質、又は短鎖コラーゲンを含む、歯の表面に対する親和性を有し、且つヒドロキシアパタイト結晶化の核となり得るペプチド活性剤を含む、請求項１５又は１６に記載のシステム。
【請求項１８】
請求項１乃至１７の何れか一項に記載のシステムを歯に付与することを含む、口腔ケア剤を歯に付与する方法であって、
第１の層を形成する口腔ケア剤を含む第１の組成物を、歯に付与すること、及び
前記第１の層上に第２の層を形成する第２の組成物を付与すること
を含む、方法。
【請求項１９】
前記付与された第１の組成物を、前記第１の層上に前記第２の組成物を付与する前に乾燥／硬化させることをさらに含む、請求項１８に記載の方法。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
野生型Ｔ細胞受容体に由来するＶα及びＶβを含む修飾されたＴ細胞受容体、またはその抗原結合断片であって、前記Ｖαまたは前記Ｖβ、またはその両方は、前記野生型Ｔ細胞受容体に関して１つ以上の相補性決定領域（ＣＤＲ）内に突然変異を含み、前記修飾されたＴ細胞受容体は、ペプチドスルビビン及びＨＬＡ−Ａ２分子の複合体にナノモルまたはより高い親和性（１０−６Ｍ未満のＫＤ値）で結合する、前記修飾されたＴ細胞受容体。
【請求項２】
前記修飾されたＴ細胞受容体は、配列番号１に記載されるＶαアミノ酸配列を含む、請求項１に記載の前記修飾されたＴ細胞受容体。
【請求項３】
前記修飾されたＴ細胞受容体は、配列番号２に記載されるＶαアミノ酸配列を含む、請求項１に記載の前記修飾されたＴ細胞受容体。
【請求項４】
前記修飾されたＴ細胞受容体は、配列番号３に記載されるアミノ酸配列を有する１本鎖Ｔ細胞受容体を含む、請求項１に記載の前記修飾されたＴ細胞受容体。
【請求項５】
前記修飾されたＴ細胞受容体は、配列番号４に記載されるアミノ酸配列を有する１本鎖Ｔ細胞受容体を含む、請求項１に記載の前記修飾されたＴ細胞受容体。
【請求項６】
配列番号１に記載されるＶαアミノ酸配列に対して少なくとも８０％の同一性を有するアミノ酸配列を含む修飾されたＶαを含む、請求項１に記載の前記修飾されたＴ細胞受容体。
【請求項７】
配列番号２に記載されるＶαアミノ酸配列に対して少なくとも８０％の同一性を有するアミノ酸配列を含む修飾されたＶαを含む、請求項１に記載の前記修飾されたＴ細胞受容体。
【請求項８】
前記修飾されたＴ細胞受容体は、ＣＤＲ３α  ９２、ＣＤＲ３α  １００、ＣＤＲ３α  １０１、ＣＤＲ３α  １０２、及びＣＤＲ３α  １０３のうちの１つ以上において、アミノ酸置換を含む、請求項２に記載の前記修飾されたＴ細胞受容体。
【請求項９】
前記修飾されたＴ細胞受容体は、以下のアミノ酸突然変異：ＴＣＲ  Ｖα鎖突然変異Ｎ９２Ｓ、Ｎ１００Ｋ、Ａ１０１Ｇ、Ｒ１０２Ｙ、及びＬ１０３Ｋのうちの１つ以上を含む、請求項２に記載の前記修飾されたＴ細胞受容体。
【請求項１０】
前記修飾されたＴ細胞受容体は、以下のアミノ酸突然変異：ＴＣＲ  Ｖα鎖突然変異Ｎ９２Ｈ、Ｎ１００Ｇ、Ａ１０１Ｗ、Ｒ１０２Ｙ、及びＬ１０３Ｔのうちの１つ以上を含む、請求項３に記載の前記修飾されたＴ細胞受容体。
【請求項１１】
可溶性形態である、請求項２に記載の前記修飾されたＴ細胞受容体。
【請求項１２】
前記スルビビン抗原を発現する癌細胞を標的とする治療剤であって、請求項１１に記載の前記修飾されたＴ細胞受容体を含む、前記治療剤。
【請求項１３】
前記スルビビン抗原を発現する癌細胞を標的とする治療剤であって、請求項２に記載の前記修飾されたＴ細胞受容体を発現するヒトＴ細胞を含む、前記治療剤。
【請求項１４】
可溶性形態である、請求項３に記載の前記修飾されたＴ細胞受容体。
【請求項１５】
前記スルビビン抗原を発現する癌細胞を標的とする治療剤であって、請求項１４に記載の前記修飾されたＴ細胞受容体を含む、前記治療剤。
【請求項１６】
前記スルビビン抗原を発現する癌細胞を標的とする治療剤であって、請求項３に記載の前記修飾されたＴ細胞受容体を発現するヒトＴ細胞を含む、前記治療剤。
【請求項１７】
請求項１２、１３、１５、及び１６のいずれか１項に記載の前記治療剤を含む、前記スルビビン抗原を発現する癌を有する対象を治療するための組成物。
【手続補正２】
【補正対象書類名】明細書
【補正対象項目名】００２３
【補正方法】変更
【補正の内容】
【００２３】
一実施形態は、本明細書に説明される治療剤を投与することを含む、スルビビン抗原を発現する癌を有する対象を治療する方法を提供する。
例えば、本発明は、以下の項目を提供する。
（項目１）
野生型Ｔ細胞受容体に由来するＶα及びＶβを含む修飾されたＴ細胞受容体、またはその抗原結合断片であって、前記Ｖαまたは前記Ｖβ、またはその両方は、前記野生型Ｔ細胞受容体に関して１つ以上の相補性決定領域（ＣＤＲ）内に突然変異を含み、前記修飾されたＴ細胞受容体は、ペプチドスルビビン及びＨＬＡ−Ａ２分子の複合体にナノモルまたはより高い親和性（１０−６Ｍ未満のＫＤ値）で結合する、前記修飾されたＴ細胞受容体。
（項目２）
前記修飾されたＴ細胞受容体は、配列番号１に記載されるＶαアミノ酸配列を含む、項目１に記載の前記修飾されたＴ細胞受容体。
（項目３）
前記修飾されたＴ細胞受容体は、配列番号２に記載されるＶαアミノ酸配列を含む、項目１に記載の前記修飾されたＴ細胞受容体。
（項目４）
前記修飾されたＴ細胞受容体は、配列番号３に記載されるアミノ酸配列を有する１本鎖Ｔ細胞受容体を含む、項目１に記載の前記修飾されたＴ細胞受容体。
（項目５）
前記修飾されたＴ細胞受容体は、配列番号４に記載されるアミノ酸配列を有する１本鎖Ｔ細胞受容体を含む、項目１に記載の前記修飾されたＴ細胞受容体。
（項目６）
配列番号１に記載されるＶαアミノ酸配列に対して少なくとも８０％の同一性を有するアミノ酸配列を含む修飾されたＶαを含む、項目１に記載の前記修飾されたＴ細胞受容体。
（項目７）
配列番号２に記載されるＶαアミノ酸配列に対して少なくとも８０％の同一性を有するアミノ酸配列を含む修飾されたＶαを含む、項目１に記載の前記修飾されたＴ細胞受容体。
（項目８）
前記修飾されたＴ細胞受容体は、ＣＤＲ３α  ９２、ＣＤＲ３α  １００、ＣＤＲ３α  １０１、ＣＤＲ３α  １０２、及びＣＤＲ３α  １０３のうちの１つ以上において、アミノ酸置換を含む、項目２に記載の前記修飾されたＴ細胞受容体。
（項目９）
前記修飾されたＴ細胞受容体は、以下のアミノ酸突然変異：ＴＣＲ  Ｖα鎖突然変異Ｎ９２Ｓ、Ｎ１００Ｋ、Ａ１０１Ｇ、Ｒ１０２Ｙ、及びＬ１０３Ｋのうちの１つ以上を含む、項目２に記載の前記修飾されたＴ細胞受容体。
（項目１０）
前記修飾されたＴ細胞受容体は、以下のアミノ酸突然変異：ＴＣＲ  Ｖα鎖突然変異Ｎ９２Ｈ、Ｎ１００Ｇ、Ａ１０１Ｗ、Ｒ１０２Ｙ、及びＬ１０３Ｔのうちの１つ以上を含む、項目３に記載の前記修飾されたＴ細胞受容体。
（項目１１）
可溶性形態である、項目２に記載の前記修飾されたＴ細胞受容体。
（項目１２）
前記スルビビン抗原を発現する癌細胞を標的とする治療剤であって、項目１１に記載の前記修飾されたＴ細胞受容体を含む、前記治療剤。
（項目１３）
前記スルビビン抗原を発現する癌細胞を標的とする治療剤であって、項目２に記載の前記修飾されたＴ細胞受容体を発現するヒトＴ細胞を含む、前記治療剤。
（項目１４）
可溶性形態である、項目３に記載の前記修飾されたＴ細胞受容体。
（項目１５）
前記スルビビン抗原を発現する癌細胞を標的とする治療剤であって、項目１４に記載の前記修飾されたＴ細胞受容体を含む、前記治療剤。
（項目１６）
前記スルビビン抗原を発現する癌細胞を標的とする治療剤であって、項目３に記載の前記修飾されたＴ細胞受容体を発現するヒトＴ細胞を含む、前記治療剤。
（項目１７）
項目１２、１３、１５、及び１６のいずれか１項に記載の前記治療剤を投与することを含む、前記スルビビン抗原を発現する癌を有する対象を治療する方法。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
放射性トレーサーの精製方法であって、
（ａ）18Ｆ標識アミノオキシ官能化生体ターゲティング部分を含む放射性トレーサーを用意するステップと、
（ｂ）放射性トレーサーに放射線防護剤を添加して、有機溶媒含有量５〜２５ｖ／ｖ％の１種以上の水混和性有機溶媒水溶液中に放射性トレーサーを含む放射性トレーサー溶液を得るステップと、
（ｃ）ステップ（ｂ）の放射性トレーサー溶液を逆相ＳＰＥカートリッジに流して、放射性トレーサーをＳＰＥカートリッジに保持するステップと、
（ｄ）ステップ（ｃ）のＳＰＥカートリッジを、有機溶媒含有量１５〜２５ｖ／ｖ％の放射線防護剤の水混和性有機溶媒水溶液を含む洗浄溶液で１回以上洗浄するステップと、
（ｅ）ステップ（ｄ）のＳＰＥカートリッジを水又は水性緩衝液で１回以上洗浄するステップと、
（ｆ）ステップ（ｄ）又は（ｅ）の洗浄済みＳＰＥカートリッジを、エタノール含有量３５〜８０ｖ／ｖ％のエタノール水溶液中に放射線防護剤を含む溶出溶媒で溶出して、溶出溶媒中に精製放射性トレーサーを含む溶出液を得るステップと
を含んでおり、各放射線防護剤が独立にアスコルビン酸、パラ−アミノ安息香酸及びゲンチシン酸並びにこれらと生体適合性陽イオンとの塩の１種以上を含む、方法。
【請求項２】
放射性トレーサー溶液の水混和性有機溶媒がアセトニトリルを含む、請求項１記載の方法。
【請求項３】
ステップ（ｂ）の放射性トレーサー溶液が０．５〜５ｖ／ｖ％のエタノールを含む、請求項１又は請求項２記載の方法。
【請求項４】
ＳＰＥカートリッジがＣ１８  ＳＰＥカートリッジである、請求項１乃至請求項３のいずれか１項記載の方法。
【請求項５】
ステップ（ｆ）の溶出溶媒が３５〜７０ｖ／ｖ％のエタノール水溶液を含む、請求項１乃至請求項４のいずれか１項記載の方法。
【請求項６】
放射線防護剤が４−アミノ安息香酸又はその生体適合性陽イオンとの塩を含む、請求項１乃至請求項５のいずれか１項記載の方法。
【請求項７】
ＢＴＭが、単一アミノ酸、３〜１００量体ペプチド、酵素基質、酵素アンタゴニスト、酵素アゴニスト、酵素阻害剤又は受容体結合化合物を含む、請求項１乃至請求項６のいずれか１項記載の方法。
【請求項８】
ＢＴＭがＡｆｆｉｂｏｄｙ（商標）を含む、請求項７記載の方法。
【請求項９】
ＢＴＭが、以下で定義されるペプチドＡ、ペプチドＢ、ペプチドＣ及びペプチドＤから選択される３〜１００量体ペプチドを含む、請求項７記載の方法。
（ｉ）ペプチドＡ＝Ａｒｇ−Ｇｌｙ−Ａｓｐペプチド、
（ｉｉ）ペプチドＢ＝次式のフラグメントを含むＡｒｇ−Ｇｌｙ−Ａｓｐペプチド、
【化１】
2017501152.tif 000001
（ｉｉｉ）ペプチドＣ＝次のアミノ酸配列を含むｃ−Ｍｅｔ結合環状ペプチド、
−Ｃｙｓa−Ｘ1−Ｃｙｓc−Ｘ2−Ｇｌｙ−Ｐｒｏ−Ｐｒｏ−Ｘ3−Ｐｈｅ−Ｇｌｕ−Ｃｙｓd−Ｔｒｐ−Ｃｙｓb−Ｔｙｒ−Ｘ4−Ｘ5−Ｘ6−
（式中、Ｘ1はＡｓｎ、Ｈｉｓ又はＴｙｒであり、
Ｘ2はＧｌｙ、Ｓｅｒ、Ｔｈｒ又はＡｓｎであり、
Ｘ3はＴｈｒ又はＡｒｇであり、
Ｘ4はＡｌａ、Ａｓｐ、Ｇｌｕ、Ｇｌｙ又はＳｅｒであり、
Ｘ5はＳｅｒ又はＴｈｒであり、
Ｘ6はＡｓｐ又はＧｌｕであり、
Ｃｙｓa-dの各々はシステイン残基であって、残基ａとｂ及び残基ｃとｄは環化して２つの独立したジスルフィド結合を形成する。）
（ｉｖ）ペプチドＤ＝次式のランチビオティックペプチド、
Ｃｙｓa−Ｘａａ−Ｇｌｎ−Ｓｅｒb−Ｃｙｓc−Ｓｅｒd−Ｐｈｅ−Ｇｌｙ−Ｐｒｏ−Ｐｈｅ−Ｔｈｒc−Ｐｈｅ−Ｖａｌ−Ｃｙｓb−（ＨＯ−Ａｓｐ）−Ｇｌｙ−Ａｓｎ−Ｔｈｒa−Ｌｙｓd
（式中、
ＸａａはＡｒｇ又はＬｙｓであり、
Ｃｙｓa−Ｔｈｒa、Ｓｅｒb−Ｃｙｓb及びＣｙｓc−Ｔｈｒcはチオエーテル結合を介して共有結合しており、
Ｓｅｒd−Ｌｙｓdはリシノアラニン結合を介して共有結合しており、
ＨＯ−Ａｓｐはβ−ヒドロキシアスパラギン酸である。）。
【請求項１０】
放射性医薬組成物の調製方法であって、該組成物が、
（ｉ）請求項１又は請求項７乃至請求項９のいずれか１項で定義した放射性トレーサーと、
（ｉｉ）請求項１又は請求項６で定義した１種以上の放射線防護剤と、
（ｉｉｉ）エタノール含有量０．１〜１０ｖ／ｖ％のエタノール水溶液を含む生体適合性担体と
を哺乳類への投与に適した形態で含んでおり、当該方法が、
請求項１乃至請求項９のいずれか１項で定義したステップ（ａ）〜（ｆ）の放射性トレーサー精製方法を実施することと、
（ｇ）任意には、ステップ（ｆ）の精製［18Ｆ］−放射性トレーサーを生体適合性担体で希釈するステップと、
（ｈ）任意には、ステップ（ｇ）の希釈溶液を無菌濾過して［18Ｆ］放射性医薬組成物を得るステップと
を含んでいる、方法。
【請求項１１】
ステップ（ｂ）〜（ｆ）又は（ｂ）〜（ｈ）の少なくとも１つが自動化され、自動化が自動合成装置を使用して実施される、請求項１０記載の方法。
【請求項１２】
自動合成装置が単回使用カセットを含む、請求項１１記載の方法。
【請求項１３】
単回使用カセットが、
（ｉ）精製すべき［18Ｆ］−放射性トレーサー溶液を収容する容器と、
（ｉｉ）１以上の逆相ＳＰＥカートリッジと、
（ｉｉｉ）請求項１で定義した洗浄溶液の供給源と、
（ｉｖ）請求項１で定義した溶出溶媒の供給源と
を備えている、請求項１２記載の方法。
【請求項１４】
請求項１１又は請求項１２記載の自動化方法を実施するための、請求項１２で定義した単回使用カセットであって、
（ｉ）精製すべき［18Ｆ］−放射性トレーサー溶液を収容するのに適した容器と、
（ｉｉ）１以上の逆相ＳＰＥカートリッジと、
（ｉｉｉ）請求項１で定義した洗浄溶液の供給源と、
（ｉｖ）請求項１で定義した溶出溶媒の供給源と
を備える単回使用カセット。
【請求項１５】
請求項１乃至請求項９のいずれか１項記載の精製方法又は請求項１０乃至請求項１３のいずれか１項記載の調製方法を実施するための、請求項１１乃至請求項１３のいずれか１項で定義した自動合成装置の使用。
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
着色剤または染料、油、脂質、脂肪酸、脂肪アルコール、および水溶性ポリマーから選択される賦形剤を含むポリマーマトリクスを含む、ドライアイおよび／または関連する症候群を治療するためのリング形状の眼科用インサート。
【請求項２】
さらに医薬剤を含む、請求項１記載のリング形状の眼科用インサート。
【請求項３】
組成物が医薬剤を含まない、請求項１記載のリング形状の眼科用インサート。
【請求項４】
着色剤がMED−4800−1、MED−4800−2、MED−4800−3、MED−4800−4、MED−4800−5、MED−4800−6、MED−4800−7、MED50−4800−1、MED50−4800−2、MED50−4800−3、MED50−4800−4、MED50−4800−5、MED50−4800−6、MED50−4800−7およびMED51−4800−7から選択される、請求項１記載のリング形状の眼科用インサート。
【請求項５】
脂質がリン脂質である、請求項１記載のリング形状の眼科用インサート。
【請求項６】
リン脂質がDMPC（1,2−ジミリストイル−sn−グリセロ−3−ホスホコリン）である、請求項５記載のリング形状の眼科用インサート。
【請求項７】
油が鉱油およびシリコーン油から選択される、請求項１記載のリング形状の眼科用インサート。
【請求項８】
ポリマーがシリコーンである、請求項１記載のリング形状の眼科用インサート。
【請求項９】
シリコーン油がMED−360およびMED−370から選択される、請求項７記載のリング形状の眼科用インサート。
【請求項１０】
水溶性ポリマーがポリエチレングリコール、グリセロール、ヒアルロン酸、および水溶性メチルセルロース誘導体から選択される、請求項１記載のリング形状の眼科用インサート。
【請求項１１】
リングが約10〜40mmの直径および約0.1〜5mmの断面厚さを有する、請求項１記載のリング形状の眼科用インサート。
【請求項１２】
直径が約20〜30mmであって断面厚さが約0.5〜1.5mmである、請求項１１記載のリング形状の眼科用インサート。
【請求項１３】
着色剤または染料、油、脂質、脂肪酸、脂肪アルコール、および／または水溶性ポリマーが約0.1〜20重量％である、請求項２記載のリング形状の眼科用インサート。
【請求項１４】
医薬剤がポリマーマトリクスの約5重量％〜約30重量％である、請求項１３記載のリング形状の眼科用インサート。
【請求項１５】
約1.18重量％の油MED−370および／またはMED−360、ならびにMED4830シリコーン中の約20％の医薬剤を含む、請求項２記載のリング形状の眼科用インサート。
【請求項１６】
MED4830シリコーン中の約2％のMED−4800−1を含む、請求項４記載のリング形状の眼科用インサート。
【請求項１７】
ドライアイの症候群および／または関連する症候群を治療するためのリング形状の眼科用インサートであって、ポリマーマトリクスを含み、ここに眼科用インサートが当該眼科用インサート中の医薬剤または非−医薬剤の不存在下で眼における涙液の産生および／または蓄積を増加する眼科用インサート。
【請求項１８】
さらに、MED−4800−1、MED−4800−2、MED−4800−3、MED−4800−4、MED−4800−5、MED−4800−6、MED−4800−7、MED50−4800−1、MED50−4800−2、MED50−4800−3、MED50−4800−4、MED50−4800−5、MED50−4800−6、MED50−4800−7およびMED51−4800−7から選択される着色剤である賦形剤を含む、請求項１７記載のリング形状の眼科用インサート。
【請求項１９】
さらに、リン脂質である賦形剤を含む、請求項１７記載のリング形状の眼科用インサート。
【請求項２０】
リン脂質がDMPC（1,2−ジミリストイル−SN−グリセロ−3−ホスホコリン）である、請求項１９記載のリング形状の眼科用インサート。
【請求項２１】
さらに、鉱物油およびシリコーン油から選択される油である賦形剤を含む、請求項１７記載のリング形状の眼科用インサート。
【請求項２２】
さらに、シリコーン油である賦形剤を含む、請求項１７記載のリング形状の眼科用インサート。
【請求項２３】
シリコーン油がMED−360およびMED−370から選択される、請求項２２記載のリング形状の眼科用インサート。
【請求項２４】
さらに、ポリエチレングリコール、グリセロール、ヒアルロン酸、および水溶性メチルセルロース誘導体から選択される水溶性ポリマーである賦形剤を含む、請求項１７記載のリング形状の眼科用インサート。
【請求項２５】
リングが約10〜40mmの直径および約0.1〜5mmの断面厚さを有する、請求項１７記載のリング形状の眼科用インサート。
【請求項２６】
直径が約20〜30mmであって、断面厚さが約0.5〜1.5mmである、請求項２５記載のリング形状の眼科用インサート。
【請求項２７】
MED−4830シリコーン中の約2％のMED−4800−1を含む、請求項２６記載のリング形状の眼科用インサート。
【請求項２８】
リング形状の眼科用インサートが白色である、請求項２７記載のリング形状の眼科用インサート。
【手続補正書】
【提出日】平成29年10月25日(2017.10.25)
【手続補正１】
【補正対象書類名】明細書
【補正対象項目名】００６２
【補正方法】変更
【補正の内容】
【００６２】
[本発明1001]
以下を備える、ロータアセンブリ：
第1の軸を中心として回転する、ロータプレート；
前記ロータプレートに回転可能に取り付けられ、かつ第2の軸を中心として回転する、バケット；及び
開放位置と閉鎖位置との間で前記ロータプレートに対して前記第1の軸を中心として回転する停止プレートであって、前記閉鎖位置にあるときに前記ロータアセンブリの回転面に対する前記バケットの角度位置を固定するように前記バケットに係合することができる、停止プレート。
[本発明1002]
前記停止プレートが、前記停止プレートが前記閉鎖位置まで移動しているときに前記バケットの表面に係合する面取りされた表面を有する翼部を含む、本発明1001のロータアセンブリ。
[本発明1003]
前記バケットが、前記停止プレートの前記面取りされた表面に係合する面取りされた表面を含む、本発明1002のロータアセンブリ。
[本発明1004]
前記停止プレートが、アーム及びリングを含む、本発明1001〜1003のいずれかのロータアセンブリ。
[本発明1005]
前記ロータプレートが開口部を含み、該開口部を通して前記停止プレートの前記リングがアクセスされ得る、本発明1004のロータアセンブリ。
[本発明1006]
前記リングが、面取りされたスリップを含む、本発明1004のロータアセンブリ。
[本発明1007]
前記ロータプレート及び前記停止プレートに係合する中心シャフトを有する連結器を更に含む、本発明1001〜1006のいずれかのロータアセンブリ。
[本発明1008]
前記連結器が、前記停止プレートが開放位置または閉鎖位置にあるときに前記停止プレートの停止表面に係合する停止表面を含む、本発明1007のロータアセンブリ。
[本発明1009]
前記連結器が、前記停止プレートが開放位置または閉鎖位置にあるときに前記停止プレートの磁石を引き付ける磁石を含む、本発明1007のロータアセンブリ。
[本発明1010]
前記ロータプレートが、連結部を受容するスロットを有する凹部を含み、前記連結部の翼部が、前記ロータプレートの前記スロットに係合する、本発明1007のロータアセンブリ。
[本発明1011]
前記ロータプレートが、前記停止プレートが閉鎖位置にあるときに前記バケットまたはセンサアレイアセンブリに係合する上部停止表面を含む、本発明1001〜1010のいずれかのロータアセンブリ。
[本発明1012]
前記ロータプレートが、前記停止プレートが閉鎖位置にあるときに前記バケットに係合する後部停止表面を含む、本発明1001〜1011のいずれかのロータアセンブリ。
[本発明1013]
前記バケットが、前記ロータアセンブリがスピンしているときに、前記ロータアセンブリの回転面に対するある角度位置が与えられるように加重されている、本発明1001〜1012のいずれかのロータアセンブリ。
[本発明1014]
以下を備える、システム：
三次元の動きを有するピペット操作ロボット；及び
本発明1001〜1013のいずれかのロータアセンブリを含む遠心分離機。
[本発明1015]
以下の工程を含む、センサアレイアセンブリに装填する方法：
ロータアセンブリの停止プレートが閉鎖位置にあるときに、前記ロータアセンブリのバケット内に配置されたセンサアレイアセンブリに溶液をアプライする工程；
前記停止プレートを開放位置まで移動させる工程；
前記ロータアセンブリをスピンさせる工程であって、前記バケットが、前記ロータアセンブリの回転面に対して正の角度の方へ回転する、スピンさせる工程；
前記停止プレートを前記閉鎖位置まで移動させる工程；及び
前記ロータアセンブリをスピンさせる工程であって、前記バケットが、前記ロータアセンブリの前記回転面に対して水平または負の角度の方へ回転する、スピンさせる工程。
[本発明1016]
前記ロータアセンブリが、本発明1001〜1003のいずれかのロータアセンブリである、本発明1015の方法。
[本発明1017]
以下の工程を含む、ロータアセンブリを設定する方法：
前記ロータアセンブリの停止プレートのリング内にチップを挿入する工程であって、前記チップが前記停止プレートの移動を防止する、挿入する工程；
前記ロータアセンブリのロータプレートを前記停止プレートに対して回転させる工程；及び
前記リングから前記チップを取り外す工程。
[本発明1018]
前記停止プレートが、前記ロータプレートが回転するときに前記ロータプレートに回転可能に連結されたバケットに係合する翼部を含む、本発明1017の方法。
[本発明1019]
前記停止プレートが、前記ロータプレートが回転するときに前記ロータプレートに回転可能に連結されたバケットから係脱する翼部を含む、本発明1017または本発明1018の方法。
[本発明1020]
前記ロータアセンブリを180°回転させる工程；
前記チップを前記リング内に挿入する工程；及び
前記ロータプレートを前記停止プレートに対して90°回転させる工程
を更に含む、本発明1017〜1019のいずれかの方法。
上述の明細書には、特定の実施形態を参照して概念を記載している。しかしながら、当業者であれば、以下の特許請求の範囲に記載される本発明の範囲から逸脱することなく、様々な修正及び変更が加えられ得ることを理解する。したがって、本明細書及び図面は、限定的な意味ではなく例示的な意味でみなされるべきであり、そのような全ての修正は本発明の範囲内に含まれることが意図される。
【手続補正２】
【補正対象書類名】図面
【補正対象項目名】全図
【補正方法】変更
【補正の内容】
【図１】
2017501873.tif 000001
【図２】
2017501873.tif 000002
【図３】
2017501873.tif 000003
【図４】
2017501873.tif 000004
【図５】
2017501873.tif 000005
【図６】
2017501873.tif 000006
【図７】
2017501873.tif 000007
【図８】
2017501873.tif 000008
【図９】
2017501873.tif 000009
【図１０】
2017501873.tif 000010
【図１１】
2017501873.tif 000011
【図１２】
2017501873.tif 000012
【図１３】
2017501873.tif 000013
【図１４】
2017501873.tif 000014
【図１５】
2017501873.tif 000015
【図１６】
2017501873.tif 000016
【図１７】
2017501873.tif 000017
【図１８】
2017501873.tif 000018
【図１９】
2017501873.tif 000019
【図２０】
2017501873.tif 000020
【図２１】
2017501873.tif 000021
【図２２】
2017501873.tif 000022
【図２３】
2017501873.tif 000023
【図２４】
2017501873.tif 000024
【図２５】
2017501873.tif 000025
【図２６】
2017501873.tif 000026
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
舌に取り付けるための組織アンカー、骨アンカー及び前記組織アンカーを前記骨アンカーに固定するテザーラインを有する舌マニピュレーション装置のための骨アンカーにおいて、
前記骨アンカーは、巻き取り軸の周りを回転可能なスプール及び巻き取りロック装置を有するテザーライン巻き取り装置を有する、並びに
前記巻き取りロック装置は、前記巻き取り軸の周りを回転することにより、巻き取りロック形態と巻き取り可能形態との間で制御される、
骨アンカー。
【請求項２】
前記スプールと共に割送り位置間を回転可能である少なくとも１つの構成要素を含む割送り装置をさらに有する、請求項１に記載の骨アンカー。
【請求項３】
前記割送り装置は、多角形の割送りリング及び前記多角形の割送りリングの対向する側面と係合するばね部材を有する、請求項２に記載の骨アンカー。
【請求項４】
前記巻き取りロック装置は、前記スプールと共に回転する多角形のロック機能、並びに前記多角形のロック機能との係合をロックすることと、前記多角形のロック機能からの解除との間をスライド可能であるスライドロック部材を有する、請求項１乃至３の何れか一項に記載の骨アンカー。
【請求項５】
前記スライドロック部材は、前記多角形のロック機能の対応する面の上の位置と、又は前記対応する面から離れた位置との間をスライド可能である一対の外装フランジを有する、請求項４に記載の骨アンカー。
【請求項６】
前記巻き取りロック装置はさらに、前記巻き取り軸の周りの回転運動と、前記スライドロック部材のスライド運動との間を変換するためのコンバータを有する、請求項４又は５に記載の骨アンカー。
【請求項７】
前記コンバータは、偏心して位置決められる突起部を持つ回転可能なヘッドを有し、前記スライドロック部材は、前記突起部がその中に収容され、それにより前記突起部の回転運動を前記スライドロック部材の線形運動に変換するスロットを持つ、請求項６に記載の骨アンカー。
【請求項８】
前記スプールは、１組の離間した柱を有し、前記割送り装置は、前記離間した柱を囲むリングを有し、前記リングは、１組の少なくとも１つのばね留め部材を有し、前記ばね留め部材は、前記柱の間にある隙間に半径方向内向きにばね付勢される、請求項２に記載の骨アンカー。
【請求項９】
前記巻き取りロック装置は、前記少なくとも１つのばね留め部材の半径方向外側の移動が阻止されるブロック位置と、前記スプールの移動に応じて、全てのばね留め部材が外側に歪むことができる自由位置との間を回転して移動可能であるブロック部材を有する、請求項８に記載の骨アンカー。
【請求項１０】
制御シャフトを収容するための、前記巻き取り軸に沿って延在している制御シャフトの開口を有し、前記巻き取り装置は、前記制御シャフトの開口と一直線になる第１の制御開口を持ち、前記巻き取りロック装置は、前記制御シャフトの開口と一直線にある異なるサイズの第２の制御開口を有する、請求項１乃至９の何れか一項に記載の骨アンカー。
【請求項１１】
請求項１乃至１０の何れか一項に記載の骨アンカーを有する舌マニピュレーションシステム。
【請求項１２】
舌に取り付けるための組織アンカー、前記組織アンカーを前記骨アンカーに結合するテザーラインの少なくとも１つをさらに有する請求項１１に記載のシステム。
【請求項１３】
請求項１１に記載の舌マニピュレーションシステムを制御するのに適応する滴定制御装置において、ハンドル組立体及び前記ハンドル組立体から遠位端に巻き取り軸方向に突出しているニードル組立体を有し、
前記ニードル組立体は、
前記ニードル組立体の前記遠位端に、内側の駆動ヘッドで末端を成す内側の制御シャフトであり、前記ハンドル組立体の第１のハンドル部により回転可能である内側の制御シャフト、及び
外側の駆動ヘッドで末端を成す外側の制御シャフトであり、前記ハンドル組立体の第２のハンドル部により前記内側の制御シャフトと独立して回転可能である外側の制御シャフト、
を有し、前記内側及び外側の駆動ヘッドの一方は、前記骨アンカーの前記スプールの回転を制御するのに適応し、並びに前記内側及び外側の駆動ヘッドの他方は、前記骨アンカーの前記巻き取りロック装置の回転を制御するのに適応する、滴定制御装置。
【請求項１４】
前記外側の制御シャフトは、前記内側の制御シャフトの遠位端から後退した前記外側の駆動ヘッドで末端を成す、及び／又は前記滴定制御装置はさらに、その中で前記外側の制御シャフトが回転することができる外側スリーブを有する、請求項１３に記載の滴定制御装置。
【請求項１５】
請求項１２に記載の舌マニピュレーションシステム、及び
請求項１３又は１４に記載の滴定制御装置
を有する滴定制御システム。
【請求項１６】
舌に取り付けるための組織アンカー、骨アンカー及び前記組織アンカーを前記骨アンカーに固定するテザーラインを有する舌マニピュレーション装置を調節する方法であり、前記方法は、前記骨アンカーと係合する回転駆動部材を使用し、前記回転駆動部材は、２つの同心の回転可能なシャフトからなる出力シャフトを持つ前記方法において、前記方法は、
−必要ならば、巻き取りロックを解除させるために、前記回転駆動部材の第１のシャフトを回転させるステップ、
−前記テザーラインのたるみが取り除かれるまで及び／又は前記テザーラインが前記舌マニピュレーションに適切な張力となるまで、前記テザーラインを前記骨アンカーに巻き取らせるために、前記回転駆動部材の第２のシャフトを回転させるステップ、並びに
−前記巻き取りロックを係合させるために、前記回転駆動部材の前記第１のシャフトを回転させるステップ
を有する方法。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
ベッドアセンブリ用位置決めシステムであって、
マットレスと、
２つの湾曲端と、該２つの湾曲端の間に配置され、前記マットレスの幅に及ぶのに十分な長さを有する細長い中央部とを有する位置決め部材と、
前記２つの湾曲端のうち第１湾曲端を係合させるための第１ブラケットと、
前記２つの湾曲端のうち第２湾曲端を係合させるための第２ブラケットとを備えた、
位置決めシステム。
【請求項２】
前記細長い中央部は、前記第１湾曲端に隣接する第１開口部と、前記第２湾曲端に隣接する第２開口部とを画定する、
請求項１に記載の位置決めシステム。
【請求項３】
前記第１ブラケットと前記第２ブラケットは、それぞれ突起部を有し、
前記突起部は、各ブラケットが前記位置決め部材の湾曲端に係合するときに、前記突起部が前記細長い中央部の第１開口部内または第２開口部内に延び、各ブラケットを前記位置決め部材に係合させるように配置されている、
請求項２に記載の位置決めシステム。
【請求項４】
前記第１開口部は、前記位置決め部材の長手軸に垂直な方向に延びる細長いチャネルの形をとり、
前記第２開口部は、前記位置決め部材の長手軸に垂直な方向に延びる細長いチャネルの形をとる、
請求項２に記載の位置決めシステム。
【請求項５】
前記第１開口部は、互いに平行に且つ所定の間隔を空けて配置された細長い近位側チャネルと細長い遠位側チャネルの形をとり、
前記第２開口部は、互いに平行に且つ所定の間隔を空けて配置された細長い近位側チャネルと細長い遠位側チャネルの形をとる、
請求項２に記載の位置決めシステム。
【請求項６】
各ブラケットの突起部は、各細長いチャネルに係合するように構成されたリッジを有する、
請求項３に記載の位置決めシステム。
【請求項７】
ファンデーションをさらに備え、
各ブラケットは、前記ファンデーションに固定されている、
請求項１に記載の位置決めシステム。
【請求項８】
第１面、該第１面に対向する第２面、および、互いに対向する側面を有するマットレスと、
前記マットレスの第２面の頭部に固定され、２つの湾曲端と細長い中央部とを有し、各湾曲端は、前記第２面から延びて前記マットレスのある側面に回りこみ、前記細長い中央部は、前記マットレスの幅に及ぶのに十分な長さを有するような第１位置決め部と、
前記マットレスの第２面の足部に固定され、２つの湾曲端と細長い中央部とを有し、各湾曲端は、前記第２面から延びて前記マットレスのある側面に回りこみ、前記細長い中央部は、前記マットレスの幅に及ぶのに十分な長さを有するような第２位置決め部と、
ファンデーションと、
前記ファンデーションに固定され、前記第１位置決め部の前記２つの湾曲端のうち第１湾曲端を係合させるための第１ブラケットと、
前記ファンデーションに固定され、前記第１位置決め部の前記２つの湾曲端のうち第２湾曲端を係合させるための第２ブラケットと、
前記ファンデーションに固定され、前記第２位置決め部の前記２つの湾曲端の第１湾曲端を係合させるための第３ブラケットと、
前記ファンデーションに固定され、前記第２位置決め部の前記２つの湾曲端の第２湾曲端を係合させるための第４ブラケットとを備えた、
ベッドアセンブリ。
【請求項９】
前記マットレスは、軟質フォームから構成されている、
請求項８に記載のベッドアセンブリ。
【請求項１０】
前記軟質フォームは、粘弾性フォームである、
請求項９に記載のベッドアセンブリ。